(57)【要約】【課題】取付け具に接続された液晶プロジェクタが取付け具から無理に剥ぎ取って持ち去られないような強固な構造、及び／または、無理に剥ぎ取られた時には製品として重要な部品が損傷して製品として使用できなくなるような構造を実現する。【解決手段】底面ボディ２０と天面ボディ４０とで形成されるキャビティ内に光学メカ３０を有してなる液晶プロジェクタ本体を、固定構造物に取り付けるための取付け具１０に接続する。液晶プロジェクタ本体と取付け具１０との接続は、ネジ１ａ，４ａ，５ｃ、ナット３ａ，３２ｃ、天吊り強化用リブ類２１ａ，２１ｃ、接続補助具５０等により液晶プロジェクタ本体を構成する部材のうちで最も強度が強い部材３２のところで行なわれている。【選択図】　　　　図１
2004133332.tif 000002
【特許請求の範囲】
【請求項１】
液晶プロジェクタ本体と、該液晶プロジェクタ本体を固定構造物に取り付けるための取付け具と、前記液晶プロジェクタ本体を前記取付け具に固定するための接続手段とを有する液晶プロジェクタにおいて、前記接続手段は、前記液晶プロジェクタ本体と前記取付け具とを前記液晶プロジェクタ本体側から取り外し不可に接続していることを特徴とする液晶プロジェクタ。
【請求項２】
請求項１に記載の液晶プロジェクタにおいて、前記接続手段は、前記液晶プロジェクタ本体を構成する部材のうちで強度が強い部材を前記取付け具に接続していることを特徴とする液晶プロジェクタ。
【請求項３】
請求項１に記載の液晶プロジェクタにおいて、前記接続手段は、前記液晶プロジェクタ本体の機能中枢部を構成する部材を前記取付け具に接続していることを特徴とする液晶プロジェクタ。
【請求項４】
請求項３に記載の液晶プロジェクタにおいて、前記機能中枢部を構成する部材は、前記液晶プロジェクタ本体の光学系を構成する部材であることを特徴とする液晶プロジェクタ。
【請求項５】
請求項１に記載の液晶プロジェクタにおいて、前記接続手段は、前記液晶プロジェクタのレンズマウウトを前記取付け具に接続していることを特徴とする液晶プロジェクタ。
【請求項６】
請求項１に記載の液晶プロジェクタにおいて、前記接続手段は、前記液晶プロジェクタ本体と前記取付け具とを強固に接続するための補強部材を有することを特徴とする液晶プロジェクタ。
【請求項７】
請求項１に記載の液晶プロジェクタにおいて、前記接続手段は、接続補助具を有し、前記液晶プロジェクタ本体と前記接続補助具とを接続し、かつ、該接続補助具と前記取付け具とを接続していることを特徴とする液晶プロジェクタ。
【発明の詳細な説明】
【０００１】
【発明の属する技術分野】
本発明は、液晶プロジェクタに関し、より詳細には、取付け具を介して天井または壁面等の固定構造物に取り付けられた液晶プロジェクタが、該取付け具から引き剥がされて盗難されることのないようにした、盗難防止構造を有する液晶プロジェクタに関する。
【０００２】
【従来の技術】
映像表示機器に対するユーザからの高画質，大画面化の要求に対し、数１０インチのプラズマディスプレイが商品化されてきたが、１００インチを越えるクラスでは投影型の映像装置が必要となり、３管式や液晶のプロジェクタの需要が高まっている。また、液晶プロジェクタの進化により小型軽量化が一段と促進され、視聴空間を有効に使うために、液晶プロジェクタ本体を天井や壁面等の固定構造物に取り付けて使用するケースが増えており、例えば、液晶プロジェクタ本体には、天吊り金具や天吊り金具に取り付けるためのアダプタとの間を接続するための取付けナット等が重量バランスを考慮しながら配置されている。
【０００３】
図３は、従来の液晶プロジェクタ本体と液晶プロジェクタ本体を天井に取り付ける天吊り装置の一部の一例を説明するための分解斜視図で、液晶プロジェクタ本体１００は、プラスティック製の底面ボディ１２０と天面ボディ１４０とで構成されるキャビネット内に、光学メカ１３０や電源や信号処理部などの駆動部（図示しない）やＳＷ／入出力端子（図示しない）などを収容して構成されている。
【０００４】
液晶プロジェクタ本体１００を天吊りする場合は、天吊り取付けアダプタ（天吊りアダプタ）１１０に液晶プロジェクタ本体１００を取り付け、天吊り金具（図示しない）に天吊りアダプタ１１０を固定することで行なわれる。なお、天吊り金具と天吊りアダプタ１１０との接続固定は、隠れビスや特殊ビスなどでの接続といった、液晶プロジェクタの盗難防止のための工夫がされている。
【０００５】
光学メカ１３０には、画像をスクリーン等に投射する投射レンズ１３１、投射レンズ１３１をマウントするレンズマウント１３２、光学メカ１３０の筐体である光学メカカバー１３３、レンズマウント固定部１３２ｆ、光学メカカバー固定部１３３ｆが設けられている。光学メカ１３０は、底面ボディ１２０に一体成形された６本の光学メカ取付けボス１２３ｆに６本の光学メカ取付けビス１０７ｆにて取り付けられている。
【０００６】
液晶プロジェクタ本体の底面ボディ１２０には、外形が多角形形状の４本の天吊り取付け用ナット（天吊りナット）１０６ｅが天吊りナット用ボス１２２ｅの内にインサート固定されており、天吊りアダプタ用ビス１０２ｅを天吊りアダプタ１１０の底面ボディ接続用ビス孔１１２ｅを通して、前記天吊りナット１０６ｅをビス止めすることにより、天吊りアダプタ１１０に液晶プロジェクタ本体が固定される。このように、従来は、天吊りアダプタ１１０と光学メカ１３０は底面ボディ１２０上においてそれぞれ別々のボス位置でビス止め固定されている。
【０００７】
なお、図３は、液晶プロジェクタ本体と天吊りアダプタ１１０との接続固定を説明するために天地を逆にした図を示したが、液晶プロジェクタを天吊りして使用する場合は、図の上下が逆転されるかたちで設置されることになる。
【０００８】
【発明が解決しようとする課題】
しかしながら、上述した従来の液晶プロジェクタの場合、視聴空間を有効に使うために上方からの投射を行わんとして液晶プロジェクタを吊り下げることや、一般的な盗難防止としては特に問題なかったが、近年、液晶プロジェクタの高機能化による高額化や、小型軽量化による搬送の容易化などもあり、盗難が頻繁に発生するようになり、盗難防止のための各種試行がなされ始めている。
【０００９】
上述のような液晶プロジェクタの盗難は、液晶プロジェクタ本体を天吊り装置から強引に剥ぎ取るケースが多く、現状ではこのような行為で盗難されてもキャビネットの破壊はあるものの液晶プロジェクタの機能は維持可能なケースが多いことに原因がある。そして、この液晶プロジェクタ本体を天吊り装置から強引に剥ぎ取っても液晶プロジェクタの機能を維持可能なケースが多いことは、現状の取付け構造にその一因があり、これが、液晶プロジェクタの盗難を可能にしている。
【００１０】
本発明は、このような点に鑑みてなされたものであり、液晶プロジェクタをセーフティとセキリティを兼ねた構造とするために、天井や壁面等の固定構造物に取り付けられた液晶プロジェクタを剥ぎ取られないような構造とすること、あるいは、液晶プロジェクタを無断で持ち去るときのように、天吊り装置の天吊りアダプタのような取付け具から液晶プロジェクタ本体が無理に剥ぎ取られるときには、液晶プロジェクタの製品としての重要な部品が損傷し、製品として使用できなくなるようにすることを目的としたものである。
【００１１】
【課題を解決するための手段】
本発明は、液晶プロジェクタ本体と、該液晶プロジェクタ本体を固定構造物に取り付けるための取付け具と、前記液晶プロジェクタ本体を前記取付け具に固定するための接続手段とを有する液晶プロジェクタにおいて、前記接続手段は、前記液晶プロジェクタ本体と前記取付け具とを前記液晶プロジェクタ本体側から取り外し不可に接続していることを特徴とし、もって、液晶プロジェクタ本体が取り付け具より引き剥がし難くなるようにし、液晶プロジェクタ本体が取付け具から引き剥がされて盗難されることを防止することができるようにしたものである。
【００１２】
更に、前記液晶プロジェクタにおいて、前記接続手段は、前記液晶プロジェクタ本体を構成する部材のうちで強度が強い部材を前記取付け具に接続していることを特徴とし、もって、取付け具と接続されている液晶プロジェクタ本体を引き剥がそうとしても、液晶プロジェクタ本体を構成する部材のうちで強度が強い部材と取付け具とが強固に接続していることにより、液晶プロジェクタ本体が取り付け具より引き剥がし難くなるようにし、液晶プロジェクタ本体が取付け具から引き剥がされて盗難されることを防止することができるようにしたものである。
【００１３】
更に、上述の液晶プロジェクタにおいて、前記接続手段は、前記液晶プロジェクタ本体の機能中枢部を構成する部材を前記取付け具に接続していることを特徴とし、もって、取付け具と接続されている液晶プロジェクタ本体を引き剥がした際に、液晶プロジェクタ本体が製品として機能するために不可欠な機能中枢部が正常に動作しなくなるようにし、液晶プロジェクタ本体が取付け具から引き剥がされて盗難されることを防止することができるようにしたものである。
【００１４】
更に、前記液晶プロジェクタにおいて、前記機能中枢部を構成する部材は、前記液晶プロジェクタ本体の光学系を構成する部材であることを特徴とし、もって、取付け具と接続されている液晶プロジェクタ本体を引き剥がした際に、液晶プロジェクタが製品として機能するために不可欠な光学系が、正規の位置からずれるかまたは破壊されて、液晶プロジェクタが正常に動作しなくなるようにし、液晶プロジェクタ本体が取付け具から引き剥がされて盗難されることを防止することができるようにしたものである。
【００１５】
更に、上述の液晶プロジェクタにおいて、前記接続手段は、前記液晶プロジェクタのレンズマウウトを前記取付け具に接続していることを特徴とし、もって、取付け具と接続されている液晶プロジェクタ本体を引き剥がそうとしても、液晶プロジェクタ本体中において最も強度の強いレンズマウントと接続していることにより引き剥がし難くなるとともに、万が一取付け具と接続されている液晶プロジェクタ本体を引き剥がしたとしても、液晶プロジェクタが製品として機能するために不可欠な光学系が、正規の位置からずれるかまたは破壊されて、液晶プロジェクタが正常に動作しなくなるようにし、液晶プロジェクタ本体が取付け具から引き剥がされて盗難されることを防止することができるようにしたものである。
【００１６】
更に、上述の液晶プロジェクタにおいて、前記接続手段は、前記液晶プロジェクタ本体と前記取付け具とを強固に接続するための補強部材を有することを特徴とし、もって、取付け具と接続されている液晶プロジェクタ本体を引き剥がす際に、液晶プロジェクタ本体と取付け具とが補強部材を介して強固に接続していることにより更に引き剥がし難くなるようにし、液晶プロジェクタ本体が取付け具から引き剥がされて盗難されることを防止することができるようにしたものである。
【００１７】
更には、上述の液晶プロジェクタにおいて、前記接続手段は、接続補助具を有し、前記液晶プロジェクタ本体と前記接続補助具とを接続し、かつ、該接続補助具と前記取付け具とを接続していることを特徴とし、もって、投射方向を頻繁に変更するような使い方で液晶プロジェクタを長期間使用したときに、光学系を構成するレンズとミラー等の位置関係が変化することを接続補助具で緩衝するようにし、コンバーゼンスがずれる等の性能劣化が生じることを防止することができるようにしたものである。
【００１８】
【発明の実施の形態】
本発明に係る液晶プロジェクタの実施形態として、図１，２を示して説明する。
図１は、本発明に係る液晶プロジェクタの第一の実施形態を説明するための図で、液晶プロジェクタ本体と液晶プロジェクタ本体を天井に取り付ける天吊り装置の一部の分解斜視図で、本発明に係る液晶プロジェクタ本体は、プラスティック製の底面ボディ２０と天面ボディ４０とで構成されるキャビネット内に、光学メカ３０や電源や信号処理部などの駆動部（図示しない）やＳＷ／入出力端子など（図示しない）の機能中枢部を収容して構成されており、取付け具の一例としての天吊りアダプタ１０が底面ボディ２０に接続される。なお、ここでは、本発明の理解を容易ならしめるために、天地逆の図を示して説明しているが、実際の使用時には、図の上下を反対にした状態で天吊りされて使用される。
【００１９】
液晶プロジェクタを天吊りする場合は、取付け具としての天吊り取付けアダプタ（天吊りアダプタ）１０に液晶プロジェクタ本体を取付け、天吊り金具（図示しない）に天吊りアダプタ１０を固定することで行なわれる。天吊りアダプタ１０には、天吊りアダプタ強化接続用ビス孔１１ａと４個の底面ボディ接続用ビス孔１２ｅとが設けられている。底面ボディ２０には、天吊り強化用両面ナット３ａがインサート固定された天吊り強化用両面ナット用リブ２１ａと、天吊り強化用両面ナット用リブ２１ａに一体化または隣接して設けられた補強用リブ２１ｂと、天吊り強化用両面ナット用リブ２１ａと一体化または隣接して設けられたレンズマウント固定用リブ２１ｃと、レンズマウント固定用ガイドピン２１ｄとが設けられ、これらが接続手段の一部を構成する。他に、天吊りアダプタ取付け用ナット（天吊りナット）６ｅがインサート固定された４本の天吊りナット用リブ２２ｅと、６本の光学メカ取付け用リブ２３ｆとが設けられている。なお、天吊り強化用両面ナット３ａ，天吊りナット６ｅは、外形が、例えば、４角や６角などの多角形状に形成されていることで、天吊り強化用両面ナット用リブ２１ａ，天吊りナット用リブ２２ｅにインサート固定される。
【００２０】
５０は本発明によって不可された接続補助具の一例としての光学メカ支持金具で、３個のビス止め孔５１ａ，５１ｂ，５１ｃとガイド孔５１ｄが設けられている。光学メカ３０は、図３に示した従来例と同様に、画像をスクリーン等に投射する投射レンズ３１、投射レンズ３１をマウントするレンズマウント３２、光学メカ３０の筐体である光学メカカバー３３を有し、レンズマウント固定部３２ｆ、光学メカカバー固定部３３ｆが設けられている。更に、レンズマウント３２の底面ボディ２０に対向する面上の投射レンズ３１の軸の垂線と交わる箇所に、レンズマウントナット部３２ｃが設けられている。レンズマウント３２は、アルミ等の鋼材を用いてダイキャスト成形されているのでとても強固であり、このレンズマウント３２が液晶プロジェクタ本体における最も強度の強い部材であり、かつ、液晶プロジェクタ本体の機能中枢部を構成する部材である。
【００２１】
液晶プロジェクタ本体の光学メカ３０の取付けと天吊り固定の作業に関し手順に沿って説明する。まず、底面ボディ２０の上に光学メカ支持金具５０を固定する。光学メカ支持金具５０はクランク形状をなしており、底面ボディ２０側のレンズマウント固定用ガイドピン２１ｄに光学メカ支持金具５０のガイド孔５１ｄを位置合わせしながら、天吊り強化用両面ナット用リブ２１ａと補強用リブ２１ｂとレンズマウント用リブ２１ｃの平坦部に乗せ、光学メカ支持金具用ビス４ａ，４ｂで締め付け固定する。
【００２２】
次いで、光学メカ３０の５箇所の光学メカカバー固定部３３ｆとレンズマウント固定部３２ｆとレンズマウントナット部３２ｃをそれぞれ光学メカ取付け用リブ２３ｆと光学メカ取付け用リブ２３ｆと光学メカ支持金具５０のレンズマウント取付け孔５１ｃに位置合わせしながら、光学メカ３０を底面ボディ２０の上に乗せたのち、レンズマウント取付け用ビス５ｃをレンズマウント用リブ２１ｃとレンズマウント取付け孔５１ｃを貫通してレンズマウント３２のレンズマウントナット部３２ｃにおいて締め付け固定する。
【００２３】
次いで、レンズマウント固定部３２ｆと光学メカ取付けリブ２３ｆを光学メカ取付け用ビス７ｆにて締め付け固定したのち、５箇所の光学メカカバー固定部３３ｆと光学メカ取付け用リブ２３ｆを５個の光学メカ取付け用ビス７ｆにて締め付け固定することで、光学メカカバー３３が取り付けられる。次いで、天面ボディ４０を底面ボディ２０に被せたのちビス止め（図示しない）などにより固定することで、液晶プロジェクタ本体が組み立てられる。なお、レンズマウント取付け用ビス５ｃ，光学メカ取付け用ビス７ｆによる締め付け固定の順番は、上述の順番に限定されるものではない。
【００２４】
天吊りアダプタ１０への液晶プロジェクタ本体の取付けは、底面ボディ２０の４個所の天吊りナット６ｅと１個所の天吊り強化用両面ナット３ａに、天吊りアダプタ１０の底面ボディ接続用ビス孔１２ｅと天吊りアダプタ強化接続用ビス孔１１ａの位置をそれぞれ合わせ、最初に、光学メカ支持金具取付け用ビス１ａを天吊りアダプタ強化接続用ビス孔１１ａを通して天吊り強化用両面ナット３ａとビス止めする。次いで、天吊りアダプタ取付け用ビス２ｅを底面ボディ接続用ビス孔１２ｅを通して天吊りナット６ｅと４箇所のビス止めを行うことで、液晶プロジェクタ本体と天吊りアダプタ１０が接続固定される。天吊り金具と天吊りアダプタ１０との接続固定は、図３に示した従来例と同様に、隠れビスや特殊ビスなどで接続固定するという、液晶プロジェクタの盗難防止のための工夫がされる。
【００２５】
以上、本実施形態の液晶プロジェクタは、液晶プロジェクタ本体を構成するもののなかにあって液晶プロジェクタが製品として機能するために不可欠なものである機能中枢部を構成する部材の一例である光学系（ここでは光学メカ３０）を構成し、かつ、液晶プロジェクタ本体において最も強度が強いレンズマウント３２と、天吊りアダプタが金属にて液晶プロジェクタ本体側から取り外し不可に接続されることで天吊りされる。このようにして、天吊りアダプタに接続された液晶プロジェクタ本体の耐荷重が向上して引き剥がし難くなり、また、天吊りアダプタと接続している液晶プロジェクタ本体を天吊りアダプタから無理やり剥ぎ取ると、製品の底面ボディ２０が亀裂して、光学メカ支持金具取付け用ビス１ａ，天吊りアダプタ取付け用ビス２ｅが外れ、光学メカ支持金具５０と連結している光学メカ３０が正規の取り付け位置から移動したり、光学メカ３０自体が破壊することになるので、液晶プロジェクタは使用不可となる。
【００２６】
なお、本実施形態では、液晶プロジェクタを、天吊り以外の状態にして使用する場合に対する考慮や、組立て手順に対する考慮から、接続補助具として光学メカ支持金具５０を使って間接的に天吊りアダプタ１０とレンズマウント３２を接続固定する構造で説明したが、天吊りアダプタ強化接続用ビス孔１１ａを天吊りアダプタ１０上でレンズマウントナット部３２ｃに対応する位置に設け、天吊りアダプタ１０との接続固定時にレンズマウント取付け用ビス５ｃを用いずに、光学メカ支持金具取付け用ビス１ａで天吊りアダプタ１０とレンズマウント３２を直接固定することも可能である。
【００２７】
ただし、光学メカ支持金具取付け用ビス１ａで天吊りアダプタ１０とレンズマウント３２を直接固定する構成の場合、投射方向を頻繁に変更するような使い方などを行なうと、長期間の使用で光学系の位置関係にユガミ等が生じ、コンバーずれ等が起こり性能面に悪影響を与える場合があるので、使用方法上の注意が必要である。
【００２８】
図２は、本発明に係る液晶プロジェクタの第二の実施形態を説明するための図で、本発明の液晶プロジェクタ本体と液晶プロジェクタ本体を天井に取り付ける天吊り装置の一部の分解斜視図である。本実施形態の液晶プロジェクタの第一の実施形態の液晶プロジェクタとの違いは、底面ボディ２０上の天吊りナット用リブ２２ｅに補助ビス用リブ２２ｈを一体的に形成し、４箇所の天吊りナット用リブ２２ｅのうち２箇所の天吊りナット用リブ２２ｅ間に補強部材の一例として補強金属板６０を渡してビス止め固定したことである。このように、２本の補強金属板６０を底面ボディ２０上の２箇所の天吊りナット用リブ２２ｅ間に設けることで、天吊りアダプタに接続された液晶プロジェクタ本体の耐荷重を増し、天吊りアダプタ２０と液晶プロジェクタ本体との接続を更に強固なものとした。
【００２９】
なお、本第二の実施形態における底面ボディ２０においては、天吊りナット用リブ２２ｅと一体に形成された補助ビス用リブ２２ｈ以外の部位の形状と役割は同一であり、同じ符号を付しており、詳細な説明は省略する。また、補強金属板６０はＬ字形状としていることから、取付け時の位置合わせを容易にするとともに、曲げ強度も向上している。
【００３０】
第二の実施形態における液晶プロジェクタ本体の光学メカ３０の取付けと、天吊り固定の作業に関し、手順に沿って説明する。まず、底面ボディ２０上に光学メカ支持金具５０と２枚の補強金属板６０を固定する。光学メカ支持金具５０は第一の実施形態と同様の取付け手順である。すなわち、底面ボディ２０側のレンズマウント固定用ガイドピン２１ｄに光学メカ支持金具５０のガイド孔５１ｄを位置合わせしながら、天吊り強化用両面ナット用リブ２１ａと補強用リブ２１ｂとレンズマウント用リブ２１ｃの平坦部に乗せ、光学メカ支持金具用ビス４ａ，４ｂで締付け固定する。次いで、補強金属板６０を取り付けるが、補強金属板６０の取り付けは、４箇所の天吊りナット用リブ２２ｅの内のどの天吊りナット用リブ２２ｅ間で固定するかは適宜であるが、ここでは、補強金属板６０が液晶プロジェクタの投射方向に平行して取り付けられる。補強金属板６０は、４個の補強金属板取付け用ビス孔６２ｅ，６２ｈを有し、それぞれ補強金属板取付け用ビス８ｅ，９ｈで固定される。４本の補強金属板取付け用ビス８ｅ，９ｈの内の２本の補強金属板取付け用ビス８ｅは、天吊りアダプタ取付け用ビス２ｅと天吊りナット６ｅを共用している。
【００３１】
底面ボディ２０上に光学メカ支持金具５０と２枚の補強金属板６０が固定されると、その後の液晶プロジェクタ本体の組立ては第一の実施形態と同様に、以下のように行なう。すなわち、光学メカ３０の５箇所の光学メカカバー固定部３３ｆとレンズマウント固定部３２ｆとレンズマウントナット部３２ｃをそれぞれ光学メカ取付け用リブ２３ｆと光学メカ取付け用リブ２３ｆと光学メカ支持金具５０のレンズマウント取付け孔５１ｃに位置合わせしながら、光学メカ３０を底面ボディ２０の上に乗せたのち、レンズマウント取付け用ビス５ｃをレンズマウント用リブ２１ｃとレンズマウント取付け孔５１ｃを貫通してレンズマウント３２のレンズマウントナット部３２ｃにて締め付け固定する。
【００３２】
次いで、レンズマウント固定部３２ｆと光学メカ取付けリブ２３ｆを光学メカ取付け用ビス７ｆにて締め付け固定したのち、５箇所の光学メカカバー固定部３３ｆと光学メカ取付け用リブ２３ｆを５個の光学メカ取付け用ビス７ｆにて締め付け固定することで、光学メカカバー３３が取り付けられる。次いで、天面ボディ４０を底面ボディ２０に被せたのちビス止め（図示しない）などにより固定することで、液晶プロジェクタ本体が組み立てられる。なお、第１の実施形態と同様に、レンズマウント取付け用ビス５ｃ，光学メカ取付け用ビス７ｆによる締め付け固定の順番は、上述の順番に限定されるものではない。
【００３３】
天吊りアダプタ１０への液晶プロジェクタ本体の取付けは、底面ボディ２０の４箇所の天吊りナット６ｅに天吊りアダプタ１０の底面ボディ接続用ビス孔１２ｅを合わせ、天吊りアダプタ取付け用ビス２ｅにて４箇所のビス止めを行うことで、液晶プロジェクタ本体と天吊りアダプタ１０が接続固定される。天吊り金具と天吊りアダプタ１０との接続固定は、従来例と同様に隠れビスや特殊ビスなどで接続固定するという、液晶プロジェクタの盗難防止のための工夫がされる。
【００３４】
以上、本実施形態の液晶プロジェクタは、第一の実施形態の液晶プロジェクタに加えて２本の補強金属板を底面ボディ上の２箇所の天吊りナット用リブ間に設けたので、天吊りアダプタに接続された液晶プロジェクタ本体の耐荷重を増し、液晶プロジェクタ本体と天吊りアダプタ１０との接続が更に強固になり、天吊りアダプタ２０に接続された液晶プロジェクタ本体を無理に剥ぎ取ろうとしても剥ぎ取り不可能か、剥ぎ取ることができるにしても長時間かけなくては外れなくなるとともに、第一の実施形態と同様に、天吊り金具から無理やり剥ぎ取り、製品の底面ボディ２０が亀裂し、光学メカ支持金具取付け用ビス１ａ，天吊りアダプタ取付け用ビス２ｅが外れ、光学メカ支持金具５０と連結している光学メカ３０が正規の取り付け位置から移動したり、光学メカ３０自体が破壊することになるので、液晶プロジェクタは使用不可となる。
【００３５】
本発明に係る液晶プロジェクタの実施形態では固定構造物を天吊り金具として説明したが、固定構造物は、視聴空間を有効に活用する目的のために液晶プロジェクタを上方から投影できるようにするものであって、天井または壁面または、床面（地面）に設けられる移動不可能なものである。よって、例えば、壁面や屋外に設けられた固定構造物に取付け具を介して取付け可能な液晶プロジェクタ本体に対しても同様の効果を有しており、固定構造物，取付け具としては、天吊り金具，天吊りアダプタに限定されるものではない。
【００３６】
また、本発明の目的は、１つは、液晶プロジェクタ本体が強引に剥ぎ取られた場合に液晶プロジェクタが機能しなくなるようにすることで液晶プロジェクタ本体を取付け具から剥ぎ取ることによる液晶プロジェクタの盗難を防止することにあり、強引に剥ぎ取られた場合に、例えば、装置全体を制御するマイコンや電源供給部のような機能中枢部が破壊されるようにすることも可能である。
【００３７】
【発明の効果】
本発明によると、液晶プロジェクタ本体と、該液晶プロジェクタ本体を固定構造物に取り付けるための取付け具と、前記液晶プロジェクタ本体を前記取付け具に固定するための接続手段とを有する液晶プロジェクタにおいて、前記接続手段は、前記液晶プロジェクタ本体と前記取付け具とを前記液晶プロジェクタ本体側から取り外し不可に接続しているので、液晶プロジェクタ本体が取付け具との接続状態から引き剥がされて盗難されないようにすることが可能となる。
【００３８】
また、前記接続手段は、前記液晶プロジェクタ本体の構成するもののなかにあって該液晶プロジェクタ本体が製品として機能するために不可欠なものであり、例えば、光学系，液晶プロジェクタ全体を制御するマイコン，電源供給部のような機能中枢部を構成する部材を前記取付け具に接続しているので、万が一、液晶プロジェクタ本体が取付け具との接続状態から引き剥がされて盗難された場合でも液晶プロジェクタが機能しないようにすることが可能となる。
【００３９】
また、前記接続手段は、前記液晶プロジェクタ本体を構成する部材のうちで強度が強い部材、例えば、レンズマウントを前記取付け具に接続しているので、液晶プロジェクタ本体が取付け具との接続状態から引き剥がされて盗難されないようにすることが可能となる。
【００４０】
また、接続手段は、液晶プロジェクタ本体（レンズマウント）と取付け具（天吊りアダプタ）とを強固に接続するための補強金属板を有するので、液晶プロジェクタ本体と取付け具との接続強度が更に強くなり、液晶プロジェクタ本体が取付け具との接続状態から引き剥がされて盗難されないようにすることが可能となる。
【００４１】
また、液晶プロジェクタ本体の機能中枢部を構成するものである光学メカと取付け具とを、例えば、接続補助具としての光学メカ支持金具を介して１の金具ではなく複数の金具を用いて取り付けることで、投射方向を頻繁に変更するような使い方で、液晶プロジェクタを長期間使用した場合における光学メカのユガミによる性能劣化を防ぐことが可能となる。
【図面の簡単な説明】
【図１】本発明に係る液晶プロジェクタの第一の実施形態を説明するための液晶プロジェクタ本体と液晶プロジェクタ本体を天井に取り付ける天吊り装置の一部の分解斜視図である。
【図２】本発明に係る液晶プロジェクタの第二の実施形態を説明する液晶プロジェクタ本体と天吊り装置の一部の分解斜視図である。
【図３】従来技術における液晶プロジェクタ本体と液晶プロジェクタ本体を天井に取り付ける天吊り装置の一例を説明するための分解斜視図である。
【符号の説明】
１ａ…光学メカ支持金具取付け用ビス、２ｅ…天吊りアダプタ取付け用ビス、３ａ…天吊り強化用両面ナット、４ａ，４ｂ…光学メカ支持金具用ビス、５ｃ…レンズマウント取付け用ビス、６ｅ…天吊りアダプタ取付け用ナット（天吊りナット）、７ｆ…光学メカ取付け用ビス、８ｅ，９ｈ…補強金属板取付け用ビス、１０…天吊り取付けアダプタ（天吊りアダプタ）、１１ａ…天吊りアダプタ強化接続用ビス孔、１２ｅ…底面ボディ接続用ビス孔、２０…底面ボディ、２１ａ…天吊り強化用両面ナット用リブ、２１ｂ…補強用リブ、２１ｃ…レンズマウント固定用リブ、２１ｄ…レンズマウント固定用ガイドピン、２２ｅ…天吊りナット用リブ、２２ｈ…補助ビス用リブ、２３ｆ…光学メカ取付け用リブ、３０…光学メカ、３１…投射レンズ、３２…レンズマウント、３２ｃ…レンズマウントナット部、３２ｆ…レンズマウント固定部、３３…光学メカカバー、３３ｆ…光学メカカバー固定部、４０…天面ボディ、５０…光学メカ支持金具、５１ａ，５１ｂ，５１ｃ…ビス止め孔、５１ｄ…ガイド孔、６０…補強金属板、６２ｅ，６２ｈ…補強金属板取付け用ビス孔。
【図１】
2004133332.tif 000003
【図２】
2004133332.tif 000004
【図３】
2004133332.tif 000005